(57)【特許請求の範囲】
【請求項１】
天板と、
前記天板の左右側部にそれぞれ固定されて上下方向へ延在する左右の脚と、
前記天板の左右側部に沿ってそれぞれ配置されて上下方向へ延在し、前記天板の左右側部と前記左右の脚とを側方から覆うとともに、上下方向へ延在する揺動軸を介して前記天板の前端縁に直角な直線状配置位置と互いに前端部が接近する円弧状配置位置との間で揺動可能に前記天板の左右側部または前記左右の脚にそれぞれ支持された左右の側板と、
前記左右の側板を連動させて互いに反対方向へ同一角度揺動させる側板連動手段と、
前記左右の側板を複数の決められた揺動角度に変更可能に固定する側板固定手段と、
前記左右の脚に前後方向に並べて複数個ずつ設けられた左右のキャスターと、
前記机の移動を解除可能に制止する制動手段と、
を具えてなる側板角度可変式机。
【請求項２】
前記側板連動手段は、前記左右の側板にそれぞれ一端部を連結された二本の連結部材と、それらの連結部材の他端部を両腕部にそれぞれ連結されるとともに中間部を揺動可能に軸支されたたクランク部材と、を有し、
前記側板固定手段は、前記クランク部材に一端部を固定されるとともに他端部にグリップを設けられた側板角度変更レバーと、前記左右の側板の前記複数の決められた揺動角度にそれぞれ対応する前記側板角度変更レバーの複数の揺動位置でその側板角度変更レバーと掛合してその側板角度変更レバーを解放可能に掛止するレバー掛止部材と、を有していることを特徴とする請求項１記載の側板角度可変式机。
【請求項３】
前記制動手段は、
前記左右の脚にそれぞれ設けられて前記左右のキャスターをそれぞれ支持する左右の昇降フレームと、
前記左右の脚にそれぞれ設けられて、前記左右のキャスターが前記脚の下端部よりも下に下降して前記机の移動を可能にする下降位置と、前記左右のキャスターが前記脚の下端部と同じかそれよりも上に上昇して前記脚が前記机の移動を制止する上昇位置との間での前記左右の昇降フレームの昇降移動を案内する昇降フレーム案内構造と、
前記左右の昇降フレームに駆動結合され、前記左右の昇降フレームを互いに連動させて前記下降位置と前記上昇位置との間で昇降移動させる昇降駆動機構と、
を有していることを特徴とする、請求項１または２記載の側板角度可変式机。
【請求項４】
前記昇降駆動機構は、
前記天板の下方で左右方向に延在する駆動軸と、
前記駆動軸に一端部を結合されるとともに他端部を前記机の手前側に向けたハンドルと、
前記駆動軸の両端部にそれぞれ設けられてカム面を前記昇降フレームの上端部に摺接させることで前記左右の昇降フレームを少なくとも下降方向に駆動する左右のカム部材と、
を有していることを特徴とする、請求項３記載の側板角度可変式机。
【発明の詳細な説明】
【技術分野】
【０００１】
この発明は、会議場等で複数の机を横並びに配置する際に側板同士を密接あるいは隣接させて円弧状に配置することができる側板角度可変式机に関するものである。
【背景技術】
【０００２】
上述の如き側板角度可変式机としては従来、例えば非特許文献１にて開示されたものが知られており、この側板角度可変式机は、机の左右に配置した側板を、上下方向に延在する支持軸を介して机の側部に揺動自在に支持するとともにリンク機構で互いに連結して、机の側部に対し左右の側板が対称かつ同一角度となるように構成し、側板で覆った机の左右の脚の下端部に設けた昇降式の制動部材を上昇位置で掛止してそれらの脚の下端部に設けたキャスターで全体を移動可能とするとともに、昇降式の制動部材を下降させて床面に押し付けることで机を任意の位置に固定可能としたものである。
【先行技術文献】
【特許文献】
【０００３】
【非特許文献１】コトブキシーティング株式会社２０１３年１２月１日発行のカタログ「進化する議場II」中第２３頁記載の「可変式議場机」
【発明の概要】
【発明が解決しようとする課題】
【０００４】
しかしながら上記側板角度可変式机では、机の側部に対する左右の側板の揺動角度が明らかな状態で左右の側板を固定できないため、机を所望の曲率の円弧状に配置するのが容易でなく、また、机を移動させるために左右の脚の昇降式の制動部材をそれぞれ上昇させ、その後の固定時にそれらの制動部材をそれぞれ下降させる必要があり、それゆえ、曲率の異なる円弧状配置間や円弧状配置と直線状配置間で配置変更する際に手間が掛かるという不都合があった。
【課題を解決するための手段】
【０００５】
この発明は、上記従来の側板角度可変式机の課題を有利に解決するものであり、この発明の側板角度可変式机は、
天板と、
前記天板の左右側部にそれぞれ固定されて上下方向へ延在する左右の脚と、
前記天板の左右側部に沿ってそれぞれ配置されて上下方向へ延在し、前記天板の左右側部と前記左右の脚とを側方から覆うとともに、上下方向へ延在する揺動軸を介して前記天板の前端縁に直角な直線状配置位置と互いに前端部が接近する円弧状配置位置との間で揺動可能に前記天板の左右側部または前記左右の脚にそれぞれ支持された左右の側板と、
前記左右の側板を連動させて互いに反対方向へ同一角度揺動させる側板連動手段と、
前記左右の側板を複数の決められた揺動角度に変更可能に固定する側板固定手段と、
前記左右の脚に前後方向に並べて複数個ずつ設けられた左右のキャスターと、
前記机の移動を解除可能に制止する制動手段と、
を具えてなるものである。
【発明の効果】
【０００６】
上述したこの発明の側板角度可変式机にあっては、机を移動させる際には、制動手段による制止を解除して、天板の左右側部にそれぞれ固定されて上下方向へ延在する左右の脚に前後方向に並べて複数個ずつ設けられた左右のキャスターによる机の移動を可能にし、これと併せて、天板の左右側部に沿ってそれぞれ配置されて上下方向へ延在し、天板の左右側部と左右の脚とを側方から覆うとともに、上下方向へ延在する揺動軸を介して天板の前端縁に直角な直線状配置位置と互いに前端部が接近する円弧状配置位置との間で揺動可能に天板の左右側部または左右の脚にそれぞれ支持された左右の側板を、側板連動手段により連動させて互いに反対方向へ同一角度揺動させ、そして側板固定手段により左右の側板を複数の決められた揺動角度に変更可能に固定する。これにより複数の机を円弧状に横並び配置する際の所望の局率半径に対応する揺動角度または直線状配置する際の天板の前端縁に直角となる揺動角度で各机の左右の側板を固定した状態で各机を移動させ、複数の机を側板同士密接もしくは隣接させながら所望の局率半径で、あるいは直線状に横並びに配置したら、制動手段でそれらの机の移動を制止する。
【０００７】
従って、この発明の側板角度可変式机によれば、机の側部に対する左右の側板を揺動角度が明らかな状態で固定できるため、机を容易に所望の曲率の円弧状に配置することができ、それゆえ、曲率の異なる円弧状配置間や円弧状配置と直線状配置間で配置変更する際に、その配置変更を短時間で容易に行うことができる。
【０００８】
なお、この発明の側板角度可変式机においては、
前記側板連動手段は、前記左右の側板にそれぞれ一端部を連結された二本の連結部材と、それらの連結部材の他端部を両腕部にそれぞれ連結されるとともに中間部を揺動可能に軸支されたたクランク部材と、を有し、
前記側板固定手段は、前記クランク部材に一端部を固定されるとともに他端部にグリップを設けられた側板角度変更レバーと、前記左右の側板の前記複数の決められた揺動角度にそれぞれ対応する前記側板角度変更レバーの複数の揺動位置でその側板角度変更レバーと掛合してその側板角度変更レバーを解放可能に掛止するレバー掛止部材と、を有していてもよい。
【０００９】
このようにすれば、側板角度変更レバーのグリップを操作してクランク部材をその中間部の支持軸回りに揺動させると、そのクランク部材の両腕部と左右の側板とにそれぞれの両端部を連結された二本の連結部材が左右の側板を押し引きして互いに逆方向に同一角度揺動させ、そしてレバー掛止部材が、左右の側板の複数の決められた揺動角度にそれぞれ対応する側板角度変更レバーの複数の揺動位置でその側板角度変更レバーと掛合してその側板角度変更レバーを解放可能に掛止するので、簡易な構成により、机の側部に対する左右の側板の揺動角度が明らかな状態で左右の側板を固定することができる。
【００１０】
また、この発明の側板角度可変式机においては、前記制動手段は、
前記左右の脚にそれぞれ設けられて前記左右のキャスターをそれぞれ支持する左右の昇降フレームと、
前記左右の脚にそれぞれ設けられて、前記左右のキャスターが前記脚の下端部よりも下に下降して前記机の移動を可能にする下降位置と、前記左右のキャスターが前記脚の下端部と同じかそれよりも上に上昇して前記脚が前記机の移動を制止する上昇位置との間での前記左右の昇降フレームの昇降移動を案内する昇降フレーム案内構造と、
前記左右の昇降フレームに駆動結合され、前記左右の昇降フレームを互いに連動させて前記下降位置と前記上昇位置との間で昇降移動させる昇降駆動機構と、
を有していてもよい。
【００１１】
このようにすれば、左右の昇降フレームに駆動結合された昇降駆動機構の例えばハンドルやペダル等の駆動部材を手や足で操作することで、左右の昇降フレームを昇降フレーム案内構造による案内下で互いに連動させて下降位置と上昇位置との間で昇降移動させると、昇降フレームの下降位置で、左右のキャスターが脚の下端部よりも下に下降して机の移動を可能にし、また昇降フレームの上昇位置で、左右のキャスターが脚の下端部と同じかそれよりも上に上昇して脚が机の移動を制止するので、各机を短時間で容易に移動可能にするとともに所望の位置で制動することができる。
【００１２】
さらに、この発明の側板角度可変式机においては、前記昇降駆動機構は、
前記天板の下方で左右方向に延在する駆動軸と、
前記駆動軸に一端部を結合されるとともに他端部を前記机の手前側に向けたハンドルと、
前記駆動軸の両端部にそれぞれ設けられてカム面を前記昇降フレームの上端部に摺接させることで前記左右の昇降フレームを少なくとも下降方向に駆動する左右のカム部材と、
を有していてもよい。
【００１３】
このようにすれば、天板の下方で左右方向に延在する駆動軸に一端部を結合されたハンドルを手で操作して、その駆動軸の両端部の左右のカム部材を回動させることで、左右の昇降フレームの上端部にそれぞれ摺接するそれらのカム部材のカム面が左右の昇降フレームを少なくとも下降方向に駆動し、昇降フレームを下降位置に位置させて左右のキャスターによる机の移動を可能にするとともに、ハンドルを手で逆方向に動かして、その駆動軸の両端部の左右のカム部材を逆方向に回動させることで、それらのカム部材のカム面が左右の昇降フレームの駆動を止めて左右の脚の自重下降によるそれらの昇降フレームの相対的な上昇移動を許容し、あるいは左右の昇降フレームを能動的に左右の脚に対し上昇方向に駆動し、昇降フレームを上昇位置に位置させて、脚による机の制動を可能にすることができるので、各机を短時間で容易に移動可能にするとともに所望の位置で制動することができる。
【図面の簡単な説明】
【００１４】
【図１】（ａ），（ｂ）は、この発明の側板角度可変式机の一実施例を、左右の側板が互いに１５度揺動した円弧状配置位置および天板の前端縁に直角な直線状配置位置に位置する状態でそれぞれ示す平面図である。
【図２】（ａ），（ｂ），（ｃ）は、上記実施例の側板角度可変式机を昇降フレームが上昇位置に位置した状態でそれぞれ示す正面図、側面図および背面図である。
【図３】（ａ），（ｂ）は、上記実施例の側板角度可変式机を昇降フレームが上昇位置に位置した状態および、昇降フレームが下降位置に位置した状態でそれぞれ示す側方から見た断面図である。
【図４】上記実施例の側板角度可変式机の内部構造を示す上方から見た透視図である。
【図５】上記実施例の側板角度可変式机の内部構造を示す後方から見た透視図である。
【図６】上記実施例の側板角度可変式机の内部構造を示す側方から見た透視図である。
【発明を実施するための形態】
【００１５】
以下、この発明の実施の形態を図面に基づく実施例によって詳細に説明する。ここに、図１（ａ），図１（ｂ）は、この発明の側板角度可変式机の一実施例を、左右の側板が互いに１５度（すなわち天板の前端縁に直角な直線状配置位置から各々７．５度）揺動した円弧状配置位置に位置する状態および上記直線状配置位置に位置する状態でそれぞれ示す平面図であり。図２（ａ），図２（ｂ），図２（ｃ）は、上記実施例の側板角度可変式机を昇降フレームが上昇位置に位置した状態でそれぞれ示す正面図、側面図および背面図であり、図３（ａ），図３（ｂ）は、上記実施例の側板角度可変式机を昇降フレームが上昇位置に位置した状態および、昇降フレームが下降位置に位置した状態でそれぞれ示す側方から見た断面図である。
【００１６】
また、図４は、上記実施例の側板角度可変式机の内部構造を示す上方から見た透視図であり、図５は、上記実施例の側板角度可変式机の内部構造を示す後方から見た透視図であり、図６は、上記実施例の側板角度可変式机の内部構造を示す側方から見た透視図である。なお、以下の説明では、前後左右というときは当該机の手前に位置する使用者から見ての方向を示す。
【００１７】
この実施例の側板角度可変式机は、前端縁に対し左右側端縁が直角よりも僅かに大きい鈍角をなす天板１と、天板１の左右側端縁に沿って天板１の下面の左右側部にそれぞれ上端部を固定されて上下方向へ延在するとともに下端面の前後端部に樹脂製の足２aを固設された厚板状の左右の脚２と、天板１の前端面と上面前端部および左右の脚２の前端面の一部に接合されて天板１の下方の空間を前方から覆う逆L字状断面の幕板３とを有する机本体４を具えている。
【００１８】
また、この実施例の側板角度可変式机は、天板１の左右側部に沿ってそれぞれ配置されて上下方向へ延在し、天板１の左右側端部と左右の脚２の外側端部を凹部６ａ内に収容して天板１の左右側部と左右の脚２とを側方から覆うとともに、上下方向へ延在する揺動軸５を介して図１（ａ）に示す互いに前端部が接近する円弧状配置位置と図１（ｂ）に示す天板１の前端縁に直角な直線状配置位置との間で揺動可能に左右の脚２にそれぞれ支持された左右の側板６と、左右の側板６を連動させて互いに反対方向へ同一角度揺動させる側板連動手段としての側板連動機構７と、左右の側板６を複数の決められた揺動角度に変更可能に固定する側板固定手段としての側板固定機構８とを具えている。
【００１９】
さらに、この実施例の側板角度可変式机は、左右の脚２に前後方向に並べて２個ずつ設けられた左右のキャスター９と、机本体４ひいてはこの実施例の側板角度可変式机全体の移動を解除可能に制止する制動手段としてのキャスター昇降機構１０とを具えている。
【００２０】
ここで、左右の脚２の外側面には図示しない凹部が形成され、その凹部内には、上記キャスター昇降機構１０の昇降フレーム案内構造を構成する昇降フレーム案内ユニット１１を組みつけられた脚側支持ブラケット１２がボルト１３で固定されている。一方、左右の側板６の凹部６ａ内には、側板側支持ブラケット１４が脚側支持ブラケット１２と対向して固定され、側板側支持ブラケット１４の上下端部にそれぞれ形成された略三角形の水平突出部にそこから下方へ延在するように固定された揺動軸５が、脚側支持ブラケット１２の上下端部にそれぞれ形成された略三角形の水平突出部に形成された孔内に上から挿通されて、側板側支持ブラケット１４と脚側支持ブラケット１２とが鉛直軸縁周りに揺動可能に連結され、下側の揺動軸５に螺着されたナットが、それらの揺動軸５を脚側支持ブラケット１２に対して抜け止めしている。
【００２１】
天板１の下面の前部には上記側板連動機構７が設けられ、この側板連動機構７は、左右の側板６の凹部６ａにそれぞれ連結ブラケット１５を介して一端部を連結されて脚２の図示しない貫通孔に遊挿された棒状の二本の連結部材１６と、天板１の下面の左右方向中央部に固定されたクランク支持ブラケット１７に鉛直軸線周りに揺動可能に中間部を軸支されるとともに両腕部１８ａにそれらの連結部材１６の他端部をそれぞれ連結されたクランク部材１８とを有している。
【００２２】
天板１の下面の左右方向中央部にはまた、上記側板固定機構８が設けられ、この側板固定機構８は、クランク部材１８の手前側の腕部１８ａから延長された受け部１８ｂに一端部を固定されるとともに他端部にグリップ１９ａを設けられた側板角度変更レバー１９と、左右の側板６の複数の決められた揺動角度にそれぞれ対応する側板角度変更レバー１９の複数（図では右から左右の側板６の相対角度が０度、５度、１０度および１５度の４か所）の揺動位置に対応して形成された凹部２０ａがその側板角度変更レバー１９と嵌合することで、上記複数の揺動位置で側板角度変更レバー１９と掛合してその側板角度変更レバー１９を解放可能に掛止するレバー掛止部材２０と、天板１の下面に固設されたスプリング蝶番２１で支持および付勢されて円弧状端面で側板角度変更レバー１９と摺接し、側板角度変更レバー１９をレバー掛止部材２０に向けて常時付勢するレバー付勢板２２とを有している。
【００２３】
左右の脚２の外側面の上記凹部内に固定された昇降フレーム案内ユニット１１は、上下方向へ延在する角筒状のユニット本体１１ａと、そのユニット本体１１ａ内に配置された２つのガイド部材１１ｂ、１１ｃとを有しており、ユニット本体１１ａ内には昇降フレーム２３が挿通され、この昇降フレーム２３は、図では厚板状をなして脚２に沿って前後方向へ延在するとともに前後端部にキャスター９をそれぞれ鉛直軸線周りに回動自在に支持する下部フレーム２３ａと、その下部フレーム２３ａの中央部に結合されて上下方向へ延在する筒状の上部フレーム２３ｂと、上部フレーム２３ｂの上端部に嵌着固定された上端キャップ２３ｃとを有している。
【００２４】
そして２つのガイド部材１１ｂ、１１ｃのうちの上側のガイド部材１１ｂはユニット本体１１ａに固定されて上部フレーム２３ｂの外面に上下移動可能に摺接し、また下側のガイド部材１１ｃは上部フレーム２３ｂに固定されてユニット本体１１ａの内面に上下移動可能に摺接し、これにより左右の昇降フレーム案内ユニット１１は左右の昇降フレーム２３の、左右のキャスター９が脚２の下端部（足２ａの下面）よりも下に下降してこの実施例の机の移動を可能にする下降位置（図３（ｂ）および図５，６参照）と、左右のキャスター９が脚２の下端部と同じ高さまで相対的に上昇して脚２の下端部（足２ａの下面）が床面Ｆに当接することでこの実施例の机の移動を制止する上昇位置（図２および図３（ａ）参照）との間での昇降移動を案内する。
【００２５】
さらに天板１の下面には、上記キャスター昇降機構１０の昇降駆動機構を構成する、左右の脚２に設けられた軸受け２４に支持されて天板１の左右方向に延在するとともに脚２の図示しない貫通孔に両端部を挿通された駆動軸２５と、その駆動軸２５の中央部に一端部を結合されるとともに他端部を天板１の手前側に向けた側方視でＬ字状のハンドル２６と、左右の脚２の上記外側凹部内で駆動軸２５の両端部にそれぞれ固設されて外周のカム面を昇降フレーム２３の上部フレーム２３ｂの上端部の上端キャップ２３ｃに摺接させることで左右の昇降フレーム２３を下降方向に互いに同一距離だけ駆動する左右のカム部材２７と、ハンドル２６の中間部に設けられた突起部２６ａを互いに対向するスプリング付勢の二個のボールで着脱可能に挟持して、左右の昇降フレーム２３が上昇位置に位置することを許容する左右のカム部材２７の回動位置でハンドル２６を図では水平な収納位置に保持するボールキャッチ２８とを有している。なお、天板１の下側には、側板連動機構７および側板固定機構８を覆うとともに、ハンドル２６とボールキャッチ２８とが下方に突出できる開口部を有する底板２９が取り付けられている。
【００２６】
この実施例の側板角度可変式机にあっては、机を移動させる際には、先ず、ハンドル２６の突起部２６ａをボールキャッチ２８から引き離しながらハンドル２６を押し下げて、駆動軸２５を介してカム部材２７を回動させることで、昇降フレーム案内ユニット１１の案内下で昇降フレーム２３を下降位置まで押し下げて、天板１の左右側部にそれぞれ固定されて上下方向へ延在する左右の脚２に前後方向に並べて２個ずつ設けられた左右のキャスター９による当該机の移動を可能にし、これと併せて、左右の側板６を側板連動機構７の連結部材１６とクランク部材１８とにより連動させながら、側板角度変更レバー１９を持ち上げて揺動操作することにより左右の側板６を互いに反対方向へ同一角度揺動させ、そして側板角度変更レバー１９と掛合する側板固定機構８のレバー掛止部材２０により、左右の側板６を、それらの相互の揺動角度（左右の側板６のなす角度）が０度、５度、１０度および１５度となる４種類のうちの所望の揺動角度で固定する。これにより複数の机を円弧状に横並び配置する際の所望の局率半径に対応する揺動角度で、また直線状配置の場合は天板１の前端縁に直角な揺動角度で、左右の側板６を机本体４に固定した状態で各机を移動させ、その後、複数の机を側板６同士密接もしくは隣接させながら所望の局率半径で、あるいは直線状に横並びに配置したら、ハンドル２６を水平位置まで引き上げて、駆動軸２５を介してカム部材２７を逆方向へ回動させるとともにハンドル２６の突起部２６ａをボールキャッチ２８で挟持することで、昇降フレーム案内ユニット１１の案内下で机の自重により昇降フレーム２３を相対的に上昇位置まで押し上げて、左右の脚２の足２aと床面Ｆとの当接により、それらの机の移動を制止する。
【００２７】
従って、この実施例の側板角度可変式机によれば、机本体４の側部に対して左右の側板６を互いの揺動角度が明らかな状態で固定できるため、机を容易に所望の曲率の円弧状に配置することができ、それゆえ、曲率の異なる円弧状配置間や円弧状配置と直線状配置間で机を配置変更する際に、その配置変更を短時間で容易に行うことができる。
【００２８】
また、この実施例の側板角度可変式机によれば、側板連動機構７は、左右の側板６にそれぞれ一端部を連結された二本の連結部材１６と、それらの連結部材１６の他端部を両腕部１８ａにそれぞれ連結されるとともに中間部を揺動可能に軸支されたたクランク部材１８とを有し、また側板固定機構８は、クランク部材１８の手前側の腕部１８ａに一端部を固定されるとともに他端部にグリップ１９ａを設けられた側板角度変更レバー１９と、左右の側板６の揺動角度が明らかな側板角度変更レバー１９の複数の揺動位置でその側板角度変更レバー１９と掛合してその側板角度変更レバー１９を解放可能に掛止するレバー掛止部材２０とを有していることから、レバー付勢板２２の付勢力に抗しつつ側板角度変更レバー１９のグリップ１９ａを持ち上げて側板角度変更レバー１９に対するレバー掛止部材２０の掛合解除（解放）状態を維持しつつグリップ１９ａを水平に動かしてクランク部材１８をその中間部の支持軸回りに揺動させると、そのクランク部材１８の両腕部１８ａと左右の側板６とにそれぞれの両端部を連結された二本の連結部材１６が左右の側板６を押し引きして互いに逆方向に同一角度揺動させ、そして左右の側板６の揺動角度が明らかな側板角度変更レバー１９の４箇所の揺動位置の何れかで側板角度変更レバー１９のグリップ１９ａを降ろすと、レバー掛止部材２０が側板角度変更レバー１９と掛合してその側板角度変更レバー１９を掛止するので、簡易な構成により、机の側部に対する左右の側板６の揺動角度が明らかな状態で、左右の側板６を固定することができる。
【００２９】
また、この実施例の側板角度可変式机によれば、制動手段は、左右の脚６にそれぞれ設けられて左右のキャスター９をそれぞれ支持する左右の昇降フレーム２３と、左右の脚２にそれぞれ設けられて、左右のキャスター９が脚２の下端部の足２ａよりも下に下降して机の移動を可能にする下降位置と、左右のキャスター９が脚２の下端部の足２ａと同じ高さまで上昇して脚２の下端部の足２ａが床面Ｆとの当接により机の移動を制止する上昇位置との間での左右の昇降フレーム２３の昇降移動を案内する昇降フレーム案内ユニット１１と、左右の昇降フレーム２３に駆動結合され、左右の昇降フレーム２３を互いに連動させて下降位置と上昇位置との間で昇降移動させる昇降駆動機構とを有していることから、左右の昇降フレーム２３に駆動結合された昇降駆動機構のハンドル２６を手で操作することで、左右の昇降フレーム２３を昇降フレーム案内ユニット１１による案内下で互いに連動させて下降位置と上昇位置との間で昇降移動させると、昇降フレーム２３の下降位置で、左右のキャスター９が脚２の下端部の足２ａよりも高さｈ（図６参照）だけ下降して左右のキャスター９による机の移動を可能にし、また昇降フレーム２３の上昇位置で、左右のキャスター９が脚２の下端部の足２ａと同じ高さに上昇して脚２の足２ａが床面Ｆとの当接により机の移動を制止するので、各机を短時間で容易に移動可能にするとともに所望の位置で止めておくことができる。
【００３０】
さらに、この実施例に側板角度可変式机によれば、昇降駆動機構は、天板１の下方で左右方向に延在する駆動軸２５と、駆動軸２５の中央部に一端部を結合されるとともに他端部を机の手前側に向けたハンドル２６と、駆動軸２５の両端部にそれぞれ設けられてカム面を昇降フレーム２３の上端部の上端キャップ２３ｃに摺接させることで左右の昇降フレーム２３を下降方向に駆動する左右のカム部材２７とを有していることから、ハンドル２６を手で操作して駆動軸２５の両端部の左右のカム部材２７を回動させると、左右の昇降フレーム２３の上端部の上端キャップ２３ｃにそれぞれ摺接するカム部材２７のカム面が左右の昇降フレーム２３を下降方向に駆動し、昇降フレーム２３を下降位置に位置させて左右のキャスター９による机の移動を可能にし、また、ハンドル２６を手で逆方向に動かして、その駆動軸２５の両端部の左右のカム部材２７を逆方向に回動させると、カム部材２７のカム面が左右の昇降フレーム２３の押し下げを止めて左右の脚２の自重下降によるそれらの昇降フレーム２３の相対的な上昇移動を許容することで、昇降フレーム２３を上昇位置に位置させて、脚２の下端部の足２ａによる机の制動を可能にするので、各机を短時間で容易に移動可能にするとともに所望の位置で固定することができ、しかも駆動軸２５と昇降フレーム２５とはカム部材２７を介して分離可能に駆動結合しているので、昇降駆動機構を容易に組み立てることができる。
【００３１】
なお、昇降フレーム２３を下降位置に位置させるときに、カム部材２７のカム面は、図示例のように下死点に位置してもよいが、例えば下死点を僅かに過ぎて昇降フレーム２３の上端部の上端キャップ２３ｃに当接するようにしてもよく、このようにすれば、昇降フレーム２３はカム部材２７をさらに回動するように付勢し、これに対してハンドル２６はその基部が天板１の下面に当接してさらなる回動を阻止されるので、昇降フレーム２３は下降位置に確実に維持される。
【００３２】
以上、図示例に基づき説明したが、この発明は上述の例に限定されるものでなく、特許請求の範囲の記載範囲内で適宜変更し得るものであり、例えば、カム部材２７のカム面は昇降フレーム２３を下降方向に駆動するだけでなく、昇降フレーム２３の上端部に設けられたカムフォロワと掛合する溝状に形成されることで、昇降フレーム２３を上昇方向へも駆動するものとしてもよい。また、左右の脚２は厚板状でなく前後二本の柱状部材とそれらを相互に連結する梁部材とを有する通常の構成のものとしてもよい。
【００３３】
そして、昇降駆動機構は、駆動軸２５に設けられた揺動アームと、脚２の内側に揺動可能に支持されたペダルと、一端部を揺動アームに連結されるとともに他端部をペダルの支持アームに連結されたリンク部材とを有するペダル駆動式機構としてもよく、あるいは、昇降フレーム２３に設けられたラックと、駆動軸２５の両端部に設けられて昇降フレーム２３のラックと噛み合うピニオンギヤとを有するラック−ピニオン機構としてもよい。
【産業上の利用可能性】
【００３４】
かくしてこの発明の側板角度可変式机によれば、机の側部に対して左右の側板を互いの揺動角度が明らかな状態で固定できるため、机を容易に所望の曲率の円弧状に配置することができ、それゆえ、曲率の異なる円弧状配置間や円弧状配置と直線状配置間で配置変更する際に、その配置変更を短時間で容易に行うことができる。
【符号の説明】
【００３５】
１  天板
２  脚
２ａ  足
３  幕板
４  机本体
５  揺動軸
６  側板
６ａ  凹部
７  側板連動機構
８  側板固定機構
９  キャスター
１０  キャスター昇降機構
１１  昇降フレーム案内ユニット
１１ａ  ユニット本体
１１ｂ，１１ｃ  ガイド部材
１２  脚側支持ブラケット
１３  ボルト
１４  側板側支持ブラケット
１５  連結ブラケット
１６  連結部材
１７  クランク支持ブラケット
１８  クランク部材
１８ａ  腕部
１８ｂ  受け部
１９  側板角度変更レバー
１９ａ  グリップ
２０  レバー掛止部材
２０ａ  凹部
２１  スプリング蝶番
２２  レバー付勢板
２３  昇降フレーム
２３ａ  下部フレーム
２３ｂ  上部フレーム
２３ｃ  上端キャップ
２４  軸受け
２５  駆動軸
２６  ハンドル
２６ａ  突起部
２７  カム部材
２８  ボールキャッチ
２９  底板
Ｆ  床面
【図１】
0006362213.tif 000002
【図２】
0006362213.tif 000003
【図３】
0006362213.tif 000004
【図４】
0006362213.tif 000005
【図５】
0006362213.tif 000006
【図６】
0006362213.tif 000007